【手続補正書】
【提出日】平成28年2月10日(2016.2.10)
【手続補正１】
【補正対象書類名】明細書
【補正対象項目名】発明の名称
【補正方法】変更
【補正の内容】
【発明の名称】便利で素早く継ぎ合わせられる組立体
【手続補正２】
【補正対象書類名】明細書
【補正対象項目名】０００１
【補正方法】変更
【補正の内容】
【０００１】
本発明は、展示、展覧分野に関し、具体的には便利で素早く継ぎ合わせられる組立体に関する。
【手続補正３】
【補正対象書類名】明細書
【補正対象項目名】０００３
【補正方法】変更
【補正の内容】
【０００３】
本発明は、輸送が便利で、且つ現場の需要に応じて柔軟に配置できる、便利で素早く継ぎ合わせられる組立体を提供することを目的とする。
【手続補正４】
【補正対象書類名】明細書
【補正対象項目名】０００４
【補正方法】変更
【補正の内容】
【０００４】
前述した目的を達成するために、本発明における便利で素早く継ぎ合わせられる組立体は、ペアとなる雄継手と雌継手との継ぎ合わせによって、装飾フレームを所望の形状に組み立ててなるものである。
【手続補正５】
【補正対象書類名】明細書
【補正対象項目名】０００９
【補正方法】変更
【補正の内容】
【０００９】
また、本発明の好ましい技術案において、該組立体は、ペアとなる雄継手と雌継手により前記装飾フレームと組み立てられる支持体を備える。具体的に、前記支持体は支柱状を呈し、前記装飾フレームは放射状に支柱状の前記支持体の周りに組み立てられる。更に、前記支持体の下端は、回転可能に台座に連結される。又は、前記支持体は花瓶状を呈し、前記装飾フレームは支持体の間に組み立てられる。更に、前記支持体は、対応するアダプターによって継ぎ合わされる。
【手続補正６】
【補正対象書類名】明細書
【補正対象項目名】００１０
【補正方法】変更
【補正の内容】
【００１０】
前述した目的を達成するために、本発明における便利で素早く継ぎ合わせられる組立体は、アダプターによって、装飾フレームを所望の形状に組み立ててなるものであってもよい。
【手続補正７】
【補正対象書類名】明細書
【補正対象項目名】００１２
【補正方法】変更
【補正の内容】
【００１２】
本発明は、ペアとなる雄継手と雌継手との継ぎ合わせによって、装飾フレームを所望の形状に組み立てるため、現場の形状に応じて所望の形状に配置することができ、また、輸送の際に組立体を分解することができ、占める空間が小さくなる、という効果を奏する。
【手続補正８】
【補正対象書類名】明細書
【補正対象項目名】００１３
【補正方法】変更
【補正の内容】
【００１３】
【図１】図１は、本発明における便利で素早く継ぎ合わせられる組立体の構成の模式図である。
【図２】図２は、本発明における便利で素早く継ぎ合わせられる組立体の他の構成の模式図である。
【図３】図３は、本発明における便利で素早く継ぎ合わせられる組立体の第三の構成の模式図である。
【図４】図４は、本発明における便利で素早く継ぎ合わせられる組立体の第四の構成の模式図である。
【図５】図５は、本発明における四種の異なる構成の雌連結部材のうちの一つの雌連結部材の模式図である。
【図６】図６は、本発明における四種の異なる構成の雌連結部材のうちの一つの雌連結部材の模式図である。
【図７】図７は、本発明における四種の異なる構成の雌連結部材のうちの一つの雌連結部材の模式図である。
【図８】図８は、本発明における四種の異なる構成の雌連結部材のうちの一つの雌連結部材の模式図である。
【図９】図９は、本発明における四種の異なる構成の雄連結部材のうちの一つの雄連結部材の模式図である。
【図１０】図１０は、本発明における四種の異なる構成の雄連結部材のうちの一つの雄連結部材の模式図である。
【図１１】図１１は、本発明における四種の異なる構成の雄連結部材のうちの一つの雄連結部材の模式図である。
【図１２】図１２は、本発明における四種の異なる構成の雄連結部材のうちの一つの雄連結部材の模式図である。
【図１３】図１３は、本発明における一種のアダプターの模式図である。
【図１４】図１４は、本発明における一種の付属品の模式図である。
【図１５】図１５は、本発明における花瓶状の支持体同士の継ぎ合わせの模式図である。
【図１６】図１６は、本発明における装飾フレームを所望の形状に組み立てるためのアダプターの三種の構成のうちの一つの構成の模式図である。
【図１７】図１７は、本発明における装飾フレームを所望の形状に組み立てるためのアダプターの三種の構成のうちの一つの構成の模式図である。
【図１８】図１８は、本発明における装飾フレームを所望の形状に組み立てるためのアダプターの三種の構成のうちの一つの構成の模式図である。
【手続補正９】
【補正対象書類名】明細書
【補正対象項目名】００１５
【補正方法】変更
【補正の内容】
【００１５】
本発明における便利で素早く継ぎ合わせられる組立体は、ペアとなる雄継手と雌継手との継ぎ合わせによって、装飾フレームを所望の形状に組み立ててなるものである。例えば、図１には正六角形、図２には縦の壁状、図３には放射状、図４には回転可能なものが示されている。図１〜４に示された組立体はいずれも直立放置可能で、組み立てが便利なものであり、空間、場所に応じて設置することができる。具体的に実施する際には、単独で、あるいは吸盤０７などの道具を介して、組立体全体を平坦な壁面（例えば、ガラス壁面、大理石壁面など、図２を参照）に吸着させることで、壁面への設置および安定性の向上を図る。上記の各種の形状や構造形態の組立体は、継ぎ合わせによって装飾フレームを組み立てることができるため、現場の形状に応じて所望の形状に配置することができ、また、輸送の際に組立体を分解することができ、占める空間が小さくなる。
【手続補正１０】
【補正対象書類名】明細書
【補正対象項目名】００２２
【補正方法】変更
【補正の内容】
【００２２】
また、該組立体は、ペアとなる雄継手と雌継手により装飾フレームと組み立てられる支持体を備える。具体的に、支持体０５Ａは支柱状を呈し、装飾フレーム０６は放射状に支柱状の支持体０５Ａの周りに組み立てられてもよい（図３を参照）。更に、支持体０５Ａの下端は、回転可能に台座５１に連結される。これによって、観賞のために、支持体によって支持体の上に取り付けられた装飾フレームをつれて回転させることができる。支持体０５Ｂは花瓶状を呈し、装飾フレーム０６は支持体の間に組み立てられてもよい（図２を参照）。更に、花瓶状の支持体は、対応するアダプターによって継ぎ合わされてもよい。
【手続補正１１】
【補正対象書類名】明細書
【補正対象項目名】００２３
【補正方法】変更
【補正の内容】
【００２３】
本発明における便利で素早く継ぎ合わせられる組立体は、アダプターによって装飾フレームを所望の形状に組み立ててもよい。更に、アダプター（図１６〜１８を参照）は二つの挿し口を有し、隣り合う両装飾フレームの縁部は、それぞれ上記の二つの挿し口内に配置されて組み立てられる。
【手続補正１２】
【補正対象書類名】特許請求の範囲
【補正対象項目名】全文
【補正方法】変更
【補正の内容】
【特許請求の範囲】
【請求項１】
ペアとなる雄継手（１１）と雌継手（２１）との継ぎ合わせによって、装飾フレーム（０６）を所望の形状に組み立ててなることを特徴とする便利で素早く継ぎ合わせられる組立体。
【請求項２】
前記雄継手（１１）には、抜け止めフランジ（１３）を有する凸部（１２）が設けられ、前記雌継手（２１）には、内壁に抜け止め溝（２３）を有する凹部（２２）が設けられ、
前記凸部（１２）が前記凹部（２２）に挿入され、且つ、前記抜け止めフランジ（１３）が前記抜け止め溝（２３）に位置することで、前記雄継手（１１）と前記雌継手（２１）が継ぎ合わされることを特徴とする請求項１に記載の便利で素早く継ぎ合わせられる組立体。
【請求項３】
前記凸部（１２）には位置決め突起（１４）が設けられ、前記凹部（２２）の内壁には位置決め溝（２４）が設けられ、前記雄継手（１１）と雌継手（２１）が継ぎ合わされると、前記位置決め突起（１４）が前記位置決め溝（２４）内に位置することを特徴とする請求項２に記載の便利で素早く継ぎ合わせられる組立体。
【請求項４】
前記雄継手（１１）は雄連結部材（０１Ａ,０１Ｂ,０１Ｃ,０１Ｄ）に設けられ、前記雌継手（２１）は雌連結部材（０２Ａ,０２Ｂ,０２Ｃ,０２Ｄ）に設けられることを特徴とする請求項１に記載の便利で素早く継ぎ合わせられる組立体。
【請求項５】
前記雄連結部材と前記雌連結部材はそれぞれ隣り合う両装飾フレームに取り付けられ、前記雄連結部材の雄継手と前記雌連結部材の雌継手との継ぎ合わせによって、隣り合う両装飾フレームが組み立てられることを特徴とする請求項４に記載の便利で素早く継ぎ合わせられる組立体。
【請求項６】
隣り合う両装飾フレームのそれぞれには前記雄連結部材が取り付けられ、アダプターと前記雄連結部材との継ぎ合わせによって、隣り合う両装飾フレームが組み立てられ、
前記アダプターは二つの前記雌継手を有し、
前記アダプターの二つの雌継手がそれぞれ前記雄連結部材の雄継手と継ぎ合わされることで、隣り合う両装飾フレームが組み立てられることを特徴とする請求項４に記載の便利で素早く継ぎ合わせられる組立体。
【請求項７】
隣り合う両装飾フレーム（０６）のそれぞれには前記雌連結部材（０２Ａ）が取り付けられ、アダプター（０３Ａ）と前記雌連結部材（０２Ａ）との継ぎ合わせによって、隣り合う両装飾フレームが組み立てられ、
前記アダプターは二つの前記雄継手を有し、
前記アダプターの二つの雄継手がそれぞれ前記雌連結部材の雌継手と継ぎ合わされることで、隣り合う両装飾フレームが組み立てられることを特徴とする請求項４に記載の便利で素早く継ぎ合わせられる組立体。
【請求項８】
前記雄連結部材と前記雌連結部材はそれぞれ隣り合う両装飾フレームに取り付けられ、
アダプターと前記雄連結部材及び前記雌連結部材との継ぎ合わせによって、隣り合う両装飾フレームが組み立てられ、
前記アダプターは雄継手と雌継手とを有し、
前記アダプターの雄継手と前記雌連結部材の雌継手とが継ぎ合わされ、前記アダプターの雌継手と前記雄連結部材の雄継手とが継ぎ合わされることを特徴とする請求項４に記載の便利で素早く継ぎ合わせられる組立体。
【請求項９】
前記アダプターはヒンジ状を呈することを特徴とする請求項６〜８のいずれか一つに記載の便利で素早く継ぎ合わせられる組立体。
【請求項１０】
前記雄連結部材及び/又は雌連結部材は、直板形、折り曲げ形、丸めた角形のうちのいずれか一つであることを特徴とする請求項４〜８のいずれか一つに記載の便利で素早く継ぎ合わせられる組立体。
【請求項１１】
前記アダプターは、直板形、折り曲げ形、丸めた角形のうちのいずれか一つであることを特徴とする請求項６〜８のいずれか一つに記載の便利で素早く継ぎ合わせられる組立体。
【請求項１２】
前記雄連結部材及び/又は雌連結部材には、付属品が設けられ又は付いていることを特徴とする請求項４に記載の便利で素早く継ぎ合わせられる組立体。
【請求項１３】
ペアとなる雄継手と雌継手により前記装飾フレームと組み立てられる支持体を備えることを特徴とする請求項１に記載の便利で素早く継ぎ合わせられる組立体。
【請求項１４】
前記支持体（０５Ａ）は支柱状を呈し、前記装飾フレーム（０６）は放射状に支柱状の前記支持体（０５Ａ）の周りに組み立てられることを特徴とする請求項１３に記載の便利で素早く継ぎ合わせられる組立体。
【請求項１５】
前記支持体（０５Ａ）の下端は、回転可能に台座（５１）に連結されることを特徴とする請求項１４に記載の便利で素早く継ぎ合わせられる組立体。
【請求項１６】
前記支持体（０５Ｂ）は花瓶状を呈し、前記装飾フレームは支持体の間に組み立てられることを特徴とする請求項１３に記載の便利で素早く継ぎ合わせられる組立体。
【請求項１７】
前記支持体（０５Ｂ）は、対応するアダプターによって継ぎ合わされることを特徴とする請求項１６に記載の便利で素早く継ぎ合わせられる組立体。
【請求項１８】
アダプター（０３Ｃ,０３Ｄ,０３Ｅ）によって、装飾フレームを所望の形状に組み立ててなることを特徴とする便利で素早く継ぎ合わせられる組立体。
【請求項１９】
前記アダプター（０３Ｃ,０３Ｄ,０３Ｅ）は二つの挿し口（３１）を有し、隣り合う両装飾フレームの縁部は、それぞれ前記二つの挿し口（３１）内に配置されて組み立てられることを特徴とする請求項１８に記載の便利で素早く継ぎ合わせられる組立体。